Podtech/llm-jp-corpus-v4-ja_patent huggingface dataset:
(57)【要約】【課題】本発明は、従来のかつらベース及びかつらよりも、よりフィット感が良く、しかも着用者の頭部形状、サイズ、頭髪の有無などに対応したかつらベース及びかつらを提供することを課題とした。【解決手段】上記課題を解決するため、請求項１記載の本発明は、かつらベースが網状の伸縮素材から成り、該かつらベースの両サイドの耳部付け根部位に帯状伸縮素材を使用したかつらベースに人毛或いは人工毛を植毛又は逢着してなる事を特徴とするかつらベース及びかつらを提供する。請求項２記載の本発明は、かつらベースの網状の一辺が０．５ミリメートルから３ミリメートルであることを特徴とする請求項１記載のかつらベース及びかつら。請求項３記載の本発明は、網状かつらベースの伸縮素材は、スパンデックスやウーリーナイロンなどの伸縮性を有する素材であることを特徴とする請求項１又は請求項２記載のかつらベース及びかつらを提供する。【選択図】図１
2007217850.tif 000002
【特許請求の範囲】
【請求項１】
かつらベース全体が網状の伸縮素材から成り、該かつらベースの両サイドの耳部付け根部位に帯状伸縮素材を使用したかつらベースに人毛或いは人工毛を植毛又は逢着してなる事を特徴とする、かつらベース及びかつら
【請求項２】
かつらベースの網状の一辺が０．５ミリメートルから３ミリメートルである請求項１記載のかつらベース及びかつら
【請求項３】
網状かつらベースの伸縮素材が、スパンデックスやウーリーナイロンなどの伸縮性を有する素材である請求項１又は請求項２のかつらベース及びかつら
【発明の詳細な説明】
【技術分野】
【０００１】本発明は、かつらベース及びかつらに関する。
【背景技術】
【０００２】かつらは一般に頭髪の生え際に沿って頭全体を覆うように形成されたかつらベースに人毛や人工毛を植毛又は、縫着によって構成されている。また、部分かつらは一般に頭髪の内部位や頭髪の薄い部位を補うため、円形や楕円形或いは四角形などの形状からなるベースに人毛や人工毛を植毛によって構成されている。【０００３】斯かるかつらは、装着後の調節が困難で着用者自身、縫製などの補修を行っており、着用者の様々な頭サイズや形状にフィットしたかつらベース及びかつらが要望されている。【０００４】然るに着用者の頭部形状、サイズ、頭髪の有無には個人差があるため、かつらベースを着用者にフィットさせるため、大小様々なサイズを作成したり、調節部品を設けたり、かつらベースの一部に伸縮素材を使用しているのが現状である。【０００５】しかしながら、大小様々なサイズや調節可能な部品を取り付けても、着用者の様々な頭サイズや形状にフィットせず、また調節部品では頭部周長の調節のみでしか調節できず、かつらベースは部分的に膨らみや弛みができスタイル作りが困難で、着用者を満足させるには至っていないのが現状である。
【特許文献１】特開２０００−３２８３３６  公報
【特許文献２】特願平５−２７１１１
【発明の開示】
【発明が解決しようとする課題】
【０００６】以上述べた従来のかつらベース及びかつらは、頭周長（前頭部生え際〜耳部部位〜後頭部を通過する頭周長を指す）の調節のみで着用者の頭部形状、サイズ、頭髪の有無など個人差を満足するものではなかった。【０００７】そこで本発明は、従来のかつらベース及びかつらよりも、よりフィット感が良く、しかも着用者の頭部形状、サイズ、頭髪の有無などに対応し、スタイルの作りやすいかつらベース及びかつらを提供することを課題とした。
【課題を解決するための手段】
【０００８】上記課題を解決するため、請求項１記載の本発明は、かつらベース全体が網状の伸縮素材から成り、該かつらベースの両サイドの耳部付け根部位に帯状伸縮素材を使用したかつらベースに人毛或いは人工毛を植毛又は逢着してなる事を特徴とするかつらベース及びかつらを提供する。【０００９】請求項２記載の本発明は、かつらベースの網状の一辺が０．５ミリメートルから３ミリメートルであることを特徴とする請求項１記載のかつらベース及びかつら【００１０】請求項３記載の本発明は、網状かつらベースの伸縮素材は、スパンデックスやウーリーナイロンなどの伸縮性を有する素材であることを特徴とする請求項１又は請求項２記載のかつらベース及びかつらを提供する。
【発明の効果】
【００１１】上述したように本発明のかつらベース及びかつらは、１辺が０．５ミリメートルから３ミリメートルの伸縮性を保有する網状物から構成され、且つ、両サイドの耳付け根部位には伸縮性を保有する帯状物を使用するため、かつらベース全体が伸縮性を有しており、着用者の頭部形状、サイズ、頭髪の有無にかかわらずピッタリとフィットするという効果を発揮するものである。また、従来のかつらベース及びかつらに比べ部分的な弛みの発生もなく、かつらのスタイル及びシルエットが非常に綺麗に発現できる効果も併せて発揮できるものである。
【発明を実施するための最良の形態】
【００１２】本発明の実施の形態を図面に基づいて詳細に説明する。図１は、本発明の実施形態に係わるかつらベースを示す図であり、図１は右側側面図である。図において、符号１０はかつらベース、２０は伸縮性を有する網状物、３０は伸縮性を有する帯状物、３０は植毛又は逢着された毛材である。【００１３】本実施形態に係わるかつらベース１０は、１辺が０．５ミリメートルから３ミリメートルである、スパンデックスやウーリーナイロンなどの伸縮性を有する網状の素材から制作され、耳部部位には、同様の帯状物から制作される。該かつらベースには人毛或いは人工毛が植毛又は逢着されることにより、かつらを構成するものである。
【実施例】
【００１４】本発明の実施例を述べる。かつらベースの製作には、１辺が１．５ミリメートルのスパンデックス素材で亀甲状の網状物を使用し、耳部部位には、幅２センチメートルのウーリーナイロンの帯状物を使用した。得られたかつらベースに事前にカールを付与した人工毛を植毛してかつらを制作した。該かつらを頭サイズの異なる着用者に着用したが、いずれも着用者の頭部にフィットし、着用の違和感もなかった。また、部分的な弛みも発生せず、スタイルやシルエットが綺麗に発現できた。
さらに、頭髪の無い着用者に着用したが、着用者の頭部にフィットし、脱落やズレの発生はなく、着用者に非常に安心感を与えることが出来た。
【産業上の利用可能性】
【００１５】  以上説明したように、本発明のかつらベース及びかつらによれば、従来のかつらベース及びかつらに比べ脱落やズレの発生が無く部分的な弛みも発生せず、より装着が安定しフィット感のあるかつらベース及びかつらを得る事が出来る。【００１６】  また、本発明のかつらベース及びかつらは、その素材、形状、構成から従来のかつら固定金具などを使用しなくても安定な装着をすることが出来る。
【図面の簡単な説明】
【図１】図１図は、本発明の実施の形態に係わるかつらベースを示す右側側面図である。
【符号の説明】
１０は、かつらベース
２０は、伸縮網状物
３０は、伸縮帯状物
４０は、植毛された人工毛
【図１】
2007217850.tif 000003
(57)【要約】      （修正有）【課題】新聞、本を容易に結束することができる整理箱を提供する。【解決手段】ゴミ箱状の形の新聞、本の収納箱が、二つのパ−ツに分けることができることによって、容易に結束できることを特徴とする。【選択図】図１
2007217180.tif 000002
【特許請求の範囲】
【請求項１】
ゴミ箱状の形状の新聞、本の収納箱が、二つのパ−ツに分けることが出来る事によって、容易に結束が出来るようにした整理箱。
【発明の詳細な説明】
【０００１】この発明は、新聞、本を容易に紐で束ね整理することが出来るようにした、整理箱である。
［従来の技術］
【０００２】現状では新聞、本を容易に束ねることが出来る用具はみあたらない。
【発明が解決しようとする課題】
【０００３】この発明は、新聞、本を容易に束ねて整理する方法を解決仕様とするものである。
【課題を解決するための手段】
【０００４】今これを、図面について説明すれば、
（イ）家庭用ゴミ箱の形状をした容器の四側面が図のように切断されていて上下二つのパ−ツにわけることが出来る。底板には紐を通す十字の溝がある。
（ロ）あらかじめ紐を底板の溝に十字に通しておき、新聞、本を内部に積み上げ、結束するときは上部のパ−ツをはずせば容易に十字に結束することが出来る。
［発明の実施の形態］
【０００５】以上の構成であるから、ゴミ箱状の内部に積み上げられた新聞、本を、上部のパ−ツをはずすことにより容易に十字に結束することが出来る。
【発明の効果】
【０００６】従って、従来難儀していた新聞、本の結束が容易に出来る。
【図面の簡単な説明】
【０００７】
【図１】本発明の斜視図であるが、本来ゴミ箱状の形状のものが、上下ふたつに分けられることを示している。
【図２】底板の形状である。
【図１】
2007217180.tif 000003
【図２】
2007217180.tif 000004
(57)【要約】【課題】  家庭用、事業用、医療用、介護用などのさまざまなものの収集と廃棄を使用目的とし、設置容器や設置場所での袋の取替え作業の手間と時間を削減し、内容物の収容や取り出しを簡易で使いやすいものとする袋とその形態を提供する。【解決手段】  内外に２枚以上重ねた同一の形と大きさと材質からなる複数枚の袋体を、重ねたままの状態で設置容器や設置場所に使用することにより、家庭用、事業用、医療用、介護用などのさまざまなものの収集と廃棄について、内容物の収容と袋ごとの取り出しを簡単で安価なものにし、最も内部の袋の開口部分が明瞭でわかりやすいことを特徴とする袋状物とその形態。【選択図】図１
2007217059.tif 000002
【特許請求の範囲】
【請求項１】
少なくとも一部に開口を有して、その開口部分が集合体の一辺または多辺に揃えられ、内外に２枚以上重ねた複数枚の袋体からなり、家庭用、事業用だけでなく医療用、介護用などのさまざまなものの収集と廃棄を使用目的とし、複数枚を内外に重ねた状態で設置容器や設置場所において連続して使用することが可能で、内容物を簡単に収容することと袋ごとの取り出しが容易にでき、内容物が外部へ出てしまうことを防ぐ、同一の形（例  長方形、台形、持ち手つき四角形）と同一の大きさと同材質（例  ポリ、ビニール、他化学素材）からなる、最初に開いて設置する必要のある最も内部の袋の開口部分が目印により明瞭になっている、袋状物とその形態。
【発明の詳細な説明】
【技術分野】
【０００１】本発明は、家庭用や事業用だけでなく医療用や介護用などのさまざまなものの収集と廃棄をするための、袋体の複数枚の組み合わせからなる袋状物とその形態に関するものである。さらに詳しくは、開口部を一辺または多辺に揃え、内外に複数枚を重ねた、同一の形（例  長方形、台形、持ち手つき四角形）と同一の大きさと同材質（例  ポリ、ビニール、他化学素材）の袋体から構成され、設置容器や設置場所に複数枚を重ねた状態のままの使用でき、かつ、内容物を簡単に袋内に収容することと袋ごとの取り出しが容易にできるものである。
【背景技術】
【０００２】ポリ、ビニールをはじめとする袋体は消費者や利用者にとって安価で手に入りやすく、ものの収集や廃棄などを目的としたときに便利で身近なものになっている。
【特許文献１】特開平８−２１７０９３号公報
【特許文献２】特開平２００５−３４３５０１号公報
【発明の開示】
【発明が解決しようとする課題】
【０００３】本発明は、従来袋を取り替える毎に必要だった、次の袋への入れ替え作業と、それに伴う手間や時間を削減することのできる袋状物とその形態を提供することを目的とし、内容物の収容や袋ごとの取り出しが簡易で利便性が良く安価であり、袋の内容物が設置容器や設置場所へ出てしまうことを防ぐ効果のあるものである。すなわち、本発明の袋状物とその形態は同一の形（例  長方形、台形）と同一の大きさと同材質、最も先に開くことの必要な開口部が明瞭になっていることから、簡単に扱いやすく、実用上問題なく使用できる。
【課題を解決するための手段】
【０００４】少なくとも一部に開口を有して、その開口部分が集合体の一辺または多辺に揃えられ、内外に２枚以上重ねた複数枚の袋体からなり、家庭用、事業用だけでなく医療用、介護用などのさまざまなものの収集と廃棄を使用目的とし、複数枚を内外に重ねた状態で設置容器や設置場所において連続して使用することが可能で、内容物を簡単に収容することと袋ごとの取り出しが容易にでき、内容物が外部へ出てしまうことを防ぐ、同一の形（例  長方形、台形、持ち手つき四角形）と同一の大きさと同材質（例  ポリ、ビニール、他化学素材）からなる、最初に開いて設置する必要のある最も内部の袋の開口部分が目印により明瞭になっている、袋状物とその形態。
【発明の効果】
【０００５】本発明の、複数枚の袋状物とその形態を使用することによって、内容物の収容や袋ごとの取り出しにおいて、簡単で扱いやすく安価であることが実現する。すなわち、家庭用、事業用、医療用、介護用などのさまざまなものの収集と廃棄の取り扱いがし易くなる。
【発明を実施するための最良の形態】
【０００６】本発明である袋状物の開口部を上部にし、複数枚からなる状態で、設置容器または設置場所の内部に開き入れ、袋状物の上端を設置容器や設置場所の上部外側へと折り返して装着する。必要毎に内容物の入った袋を内側から順に取り出していく。
【図面の簡単な説明】
【０００７】
【図１】  形状を長方形とした本発明の袋状物の横から見た平面図。
【図２】  形状を台形とした本発明の袋状物の横から見た平面図。
【図３】  形状を持ち手つき四角形とした本発明の袋状物の横から見た平面図。
【符号の説明】
【０００８】１  複数の袋状物
【図１】
2007217059.tif 000003
【図２】
2007217059.tif 000004
【図３】
2007217059.tif 000005
(57)【要約】【課題】間仕切りに用いるパーティションを所望の位置に設ける場合、その設置及び除去が極めて容易であり、かつ、堅固に設置できる間仕切りの構造を提供することにある。【解決手段】縦柱部材１、上下桁材１０及び２０から構成されるところ、縦柱部材１は、正面及び又は背面にパーティションの側端部を嵌入する凹溝２を縦長に穿設するとともに、上下端部に取付部３及び脚４を設けるが、取付部３及び脚４は側面形状が正面形状より小さく形成する。上下桁材１０及び２０は、先端から末端まで正面形状Ｔ字状の取付溝１１及び２１を穿ってあるが、該取付溝１１及び２１の形状及び大きさは前記取付部３及び脚４がそれぞれ摺動可能であり、かつ、所望の位置で回動できるように形成する。【選択図】図１
2007217937.tif 000002
【特許請求の範囲】
【請求項１】
縦柱部材１、上桁材１０及び下桁材２０から成り、縦柱部材１は、正面及び又は背面に縦長の凹溝２を穿設するとともに、上下端部に取付部３及び脚４を設けるが、該取付部３及び脚４は側面形状が正面形状より小さく形成し、前記上桁材１０及び下桁材２０は、先端から末端まで正面形状Ｔ字状の取付溝１１及び２１をそれぞれ穿設するが、その大きさ及び形状は、前記取付部３及び脚４が摺動可能であり、かつ、回動できることを特徴とする間仕切りの設置構造。
【発明の詳細な説明】
【技術分野】
【０００１】
本発明は、簡易に設置できる間仕切り設置構造の改良に関するものである。
【背景技術】
【０００２】
間仕切りに用いる例えばガラス製パーティションを所望の位置に設ける場合、従来方法の説明図である図４に示すように凹溝を設け、該凹溝にパーティションを嵌着固定するための縦柱状部材を桁に金具などを用い固着するなどしていた。しかし、従来方法ではパーティションの取着に手間を要するし、パーティション設置位置の変更や除去にも煩わしい手間を要する欠点があった。また、設置位置の変更にとどまらず、取着するパーティションの大小等を必用に応じ、適宜変更することも困難である。
【特許文献１】特開２００２−２０１７４７号公報
【発明の開示】
【発明が解決しようとする課題】
【０００３】
解決しようとする問題点は、前記従来の手段では、パーティションの設置・除去、設置位置の変更、取り付けるパーティションの大小等の変更などを容易にし、臨機に応じ、室のスペースを最大限に活用できるパーティションの設置構造を提案することにある。
【課題を解決するための手段】
【０００４】
本発明に係る間仕切り設置構造は、前記問題点を解決するため、パーティション端部を嵌入固定するための凹溝を縦長に穿設した縦柱部材の上下に、上下各桁部材と嵌合可能な取付部を設け、一方、上下各桁材には前記取付部を前後方向に摺動して嵌合可能な取付溝を穿設してある。該取付溝は、前記縦柱部材に穿設した凹溝へパーティション端部を容易に嵌入可能にするため、前記取付部が回動可能な形状及び大きさとする。
【発明の効果】
【０００５】
前記のように、本発明はパーティションの固定を極めて容易にしたばかりでなく、1対の縦柱部材Ｕ溝に端部を嵌入されたパーティション自体がその固定につき楔の効果を有するよう構成したので、簡易な固定方法にも拘らず安定した状態を保つ効果を有する。間仕切りは、室の効果的利用に資するので、室の利用目的に従い、或る場合はこれを設け、他の場合は除去する必要を生ずるが、その設置・除去及び変更を容易に行えるようにすれば、限られた室のスペースを最大限に活用することができる。
【発明を実施するための最良の形態】
【０００６】
縦柱部材の上下取付部は、縦柱部材を上下桁材に取り付ける際、取付溝内を摺動するので、摺動を容易にするため側面形状を正面形状より小なるようにし、まず、側面方向から取付溝へ嵌入して摺動させ、所望の位置近傍に到達したとき、回動を行うことにより正面形状において取付溝と嵌合可能に形成する。このようにすれば、パーティション左右いずれかの端部を凹溝に嵌入するときも、縦柱部材の正面が側方に向いている状態で行うことができ、作業が極めて容易となる利点がある。
【実施例１】
【０００７】
図１は、本発明に係る間仕切りの設置構造の概略を示す斜視図、図２（ａ）は縦柱部材１の正面図、（ｂ）は縦柱部材１の側面図、図３（ａ）は上桁材１０の正面図、（ｂ）は下桁材２０の正面図である。縦柱部材１は、図２（ａ）に示すように正面及び又は背面にパーティションの側端部を嵌入する凹溝２を縦長に穿設するとともに、本図（ａ）、（ｂ）に示すように上下各端部に取付部３及び脚４を設けてある。該取付部３及び脚４は、前記のように側面形状を正面形状より小さく形成する。上下桁材１０及び２０には、図３に示すように先端から末端まで正面形状Ｔ字状の取付溝１１及び２１を穿設するが、その形状及び大きさは、前記縦柱部材１の取付部３及び脚４が摺動可能であるとともに、所望の位置で回動できるように形成する。上桁材１０は必用あるとき天井等との接合部３０を適宜の手段で形成するが、もとより必須のものではない。また、下桁材２０に支台２２を付設するかは、適宜選択する。
【産業上の利用可能性】
【０００８】
本発明に係る間仕切りの設置構造は、単に間仕切りの設置の場合に止まらず、調度品例えば絵画展示枠材など多種の用途にも適用できる。
【図面の簡単な説明】
【０００９】
【図１】本発明に係る間仕切りの設置構造の概略を示す斜視図である。
【図２】縦柱部材１の正面図及び縦柱部材１の側面図である。
【図３】上桁材１０の正面図及び下桁材２０の正面図である。
【図４】従来方法の説明図である。
【符号の説明】
【００１０】
１    縦柱部材
２    凹溝
３    取付部
４    脚
１０  上桁材
１１  取付溝
２０  下桁材
２１  取付溝
２２  支台
３０  接合部
【図１】
2007217937.tif 000003
【図２】
2007217937.tif 000004
【図３】
2007217937.tif 000005
【図４】
2007217937.tif 000006
(57)【要約】      （修正有）【課題】コンクリート二次製品設置時の高さ調整を容易にする。【解決手段】雄ネジ部を持ったボルト１と、雄ネジと雌ネジ部を両方持ったボルトナット２と、ボルトナット２より大きいサイズのボルトナット３と雌ネジ部を持ったナット４からなり、スパナ等により回転させることによって高さ調整を可能にする。【選択図】図２
2007217938.tif 000002
【特許請求の範囲】
【請求項１】
コンクリート二次製品などの高さ調整に用いられる金具であって、１、２、３、４の４種類（何種類でも可能）のボルトナットよりなり、回転させることによって高さを調整ができるボルト。
【発明の詳細な説明】
【技術分野】
【０００１】
本発明は、コンクリート二次製品設置用の高さ調整装置に関するものである。
【背景技術】
【０００２】
従来より、通常、土留及び排水構造物等を構築する場合においてはコンクリート二次製品が使用される。コンクリート二次製品とは、コンクリートや鉄筋を主体として予め所定の形状に固められたコンクリート型材等であり、ボックスカルバート、Ｌ型擁壁、Ｕ型側溝等がある。例えば、そのようなコンクリート二次製品を使用して構造物を構築する場合は、まず、目的の場所を掘り、コンクリートを打込んで基礎を形成する、そして、基礎が完成した状態で構造物底面が平坦となるように、基礎の上に調整材としてのモルタルを１cm乃至３cm程度敷設し、その上にコンクリート二次製品を載せ、所定の位置及び高さに据付けて構造物を完成させる。
【発明の開示】
【発明が解決しようとする課題】
【０００３】
しかし、上記のように、調整材としてのモルタルの上に、コンクリート二次製品を載せて側溝全体の高さ調整をする場合は、モルタル上にコンクリート二次製品を載せるタイミングやモルタルの量等の調節が極めて困難で、熟練した職人の勘に頼る部分が多かった。また、仮に、そのような高度な施工技術を持った職人が作業しても、設計値どうりに設置できないこともあった。
【０００４】
クサビを使用して、コンクリート二次製品を載せた場合、クサビが滑り高さが変わってしまったり、コンクリート二次製品を載せた後に若干左右前後に移動させる時再度コンクリート二次製品をクレーン等で持ち上げなくてはならなかった。
【０００５】
そこで、本発明は、高度な施工技術を持たない者でも簡単な作業でコンクリート二次製品による構造物の高さ調整を容易にするとともに、コンクリート二次製品設置後の微調節を設置状態のままできる、コンクリート二次製品設置用調整ボルトの提供を課題とするものである。
【課題を解決するための手段】
【０００６】
１雄ネジ部を持ったボルトと、２雄ネジと雌ネジ部を両方持ったボルトナットと、３、２より大きいサイズのボルトナットと４雌ネジ部を持ったナットからなり、スパナ等により回転させることによって高さ調整を可能にする。
【発明の効果】
【０００７】
高度な施工技術を持たない者でも簡単な作業でコンクリート二次製品による高さ調整ができ、１度置いたコンクリート二次製品をふたたびつり上げるということがなくなったので施工効率もよくなる。
【発明を実施するための最良の形態】
【０００８】
コンクリート二次製品をクレーンなどで設置する前に、現場の敷設面を構成する基礎コンクリート上に高さ調整ボルトを、三点で支持できるような場所に置く。
【０００９】
そののち、ボルトをレンチなどの工具で回転させることによりコンクリート二次製品の高さおよびできる。傾斜に調整することができる。
【図面の簡単な説明】
【００１０】
【図１】本発明の高さ調整ボルトの伸長形態を示す断面図である。
【図２】高さ調製ボルトの最縮形態を示す断面図である。
【符号の説明】
【００１１】
１  調整ボルト
２  調整ボルトナット（小）
３  調整ボルトナット（大）
４  調整ナット
ａ  調整ボルト３による伸び
ｂ  調整ボルト２による伸び
ｃ  調整ボルト１による伸び
【図１】
2007217938.tif 000003
【図２】
2007217938.tif 000004
(57)【要約】【課題】間仕切りに用いるパーティションを所望の位置に設ける場合、その設置及び除去が極めて容易であり、かつ、堅固に設置できる間仕切りの接合金具を提供することにある。【解決手段】金属板を用い形成した同形である一対の部材２から構成するもので、まず、各部材２の上端を横方向へ屈曲して懸架部３を形成するが、該屈曲の角度は各部材２を左右対称に配設したとき相対する懸架部３下部の正面形状がＶ字状の間隙を形成するものとし、次に、Ｖ字状間隙下方の各部材２部分が直線状に相接するよう屈曲部４を設ける。Ｖ字状間隙を設けたのは、相対する部材２の下方部分を左右に開けば、相対する懸架部３が相対する間隔が減少し、またこれを閉じればその間隔が拡大するようにしたものである。【選択図】図１
2007217936.tif 000002
【特許請求の範囲】
【請求項１】
金属板を用い形成した同形である一対の部材２から成るものであり、各部材２の上端を横方向へ屈曲して懸架部３を形成するが、該屈曲の角度は各部材２を左右対称に配設したとき、相対する懸架部３の下部正面形状がＶ字状の間隙を形成するものとし、更に、該Ｖ字状間隙下方の相対する各部材２部分が直線状に相接するよう屈曲部４を設けたことを特徴とする間仕切りの接合金具
【発明の詳細な説明】
【技術分野】
【０００１】
本発明は、間仕切りに用いるパーティションの接合金具の改良に関するものである。
【背景技術】
【０００２】
間仕切りに用いるパーティションを所望の位置に設ける場合、従来方法の説明図である図４に示すようにＴバー１０を天井に適宜の手段で所望の位置に固着し、該Ｔバー１０下端部へパーティション２０を接合する装置を付設しているが、該装置の構成は、例えば頭部にフラットバー３１を設けた吊りボルト３０を前記Ｔバー１０下部に形成した突出部１１に嵌着してその下端に孔を介して接合金具４０を挿通するとともに、ナット３２を締着して接合金具４０を取着し、図示しないが該接合金具にパーティション２０を固着していた。
【特許文献１】特開２００５−１５５００８号公報
【発明の開示】
【発明が解決しようとする課題】
【０００３】
解決しようとする問題点は、前記従来の手段において、Ｔバー１０へ吊りボルト３０を嵌着したり、ナット３２を締着するに手間を要し、また、前記接合金具４０に固着したパーティション２０の下端と床面の間隔を調節するため、ナット３２の締着位置の確定等多くの手間を要するのみならず、パーティション２０取着後ナット３２の締着がゆるんだりするおそれがあり、パーティション２０を強固に設置できない欠点があった点を改良することにある。
【課題を解決するための手段】
【０００４】
本発明は、前記問題点を解決するため、Ｔバー１０下部に形成された突出部１１へ直接パーティション２０の接合金具を懸架でき、パーティション２０を接合金具へ固着する位置が予め確定可能に接合金具を構成した。
【発明の効果】
【０００５】
本発明に係る接合金具は、２個の同形部材から成り、該部材の各上端に形成した懸架部を前記Ｔバー突出部１１へ懸架し、及び除去できるので、パーティション２０の着脱を極めて容易にした。間仕切りは、室の効果的利用に資するので、室の利用目的に従い、或る場合はこれを設け、他の場合は除去する必要を生ずるが、その設置及び除去を容易に行えるようにすれば、限られた室のスペースを最大限に活用することができる。
【発明を実施するための最良の形態】
【０００６】
接合金具は、２個の部材を左右対称に配設し、下部を左右に開いた状態にすれば上端に形成した左右の懸架部をともにＴバー１１の下端に設けた開口部へ嵌入又は引抜くことができ、閉じた状態にすれば前記左右の懸架部をそれぞれＴバー１０の左右突出部１１へ懸架できるようにして、手間を要することなく、着脱できるようにしてある。
【実施例１】
【０００７】
図１は、本発明に係る接合金具１をＴバー１０に懸架した状態を示す正面図である。接合金具１は金属板を用い形成した同形である一対の部材２から成るもので、まず、各部材２の上端を横方向へ屈曲して懸架部３を形成するが、該屈曲の角度は各部材２を左右対称に配設したとき、相対する懸架部３の下部正面形状がＶ字状の間隙を形成するものとし、次に、Ｖ字状の間隙下方の各部材２部分が直線状に接するよう屈曲部４を設ける。屈曲部４の更に下方の形状は、例えばパーティション２０を固着した一例を示す説明図である図３に示すように、相対する部材２が適宜の間隔を保ち、パーティション２０の上端に穿ったＵ溝２１に嵌入し、ビス５等適宜の手段で接合金具１にパーティション２０を固着するとき、安定が得られる形状であることが望ましいが、勿論適宜選択できる。図２は相対する部材２の屈曲部４下方を開いた状態を示す部分図で、前記のように接合金具１を構成すると、同図に示すように相対する懸架部３の間隔が減少し、Ｔバー突出部１１に遮られることなく容易に嵌入又は引抜くことができ、また部材２の下方を閉じれば図１及び図３に示すように懸架部３の間隔は拡大し、Ｔバー突出部１１に係止できるので、パーティション２０の大きさを勘案し、予め部材２にパーティション２０の取付位置を確定し、例えばビス孔５を穿設するなど、従来のように床面との関係を調節する手間を要しない。なお、Ｔバー１０、接合金具１などが露出して美観を損ねるおそれがあるときは、図示しないが、吊り天井などを活用し、美観を維持することも容易にできる。
【産業上の利用可能性】
【０００８】
本発明に係る接合金具１は、単に間仕切りの設置の場合に止まらず、調度品例えば生花容器を懸架する場合など多種の用途にも適用できる。
【図面の簡単な説明】
【０００９】
【図１】接合金具１をＴバー１０に懸架した状態を示す正面図である。
【図２】相対する部材２の下方を開いた状態を示す部分図である。
【図３】パーティション２０を固着した一例を示す説明図である。
【図４】従来方法の説明図である。
【符号の説明】
【００１０】
１    接合金具
２    部材
３    懸架部
４    屈曲部
５    ビス孔
１０  Ｔバー
１１  突出部
２０  パーティション
【図１】
2007217936.tif 000003
【図２】
2007217936.tif 000004
【図３】
2007217936.tif 000005
【図４】
2007217936.tif 000006
(57)【要約】【課題】  液体や粉末を容器に入れる際、使用するジョウゴが容器から外れないようにする。【解決手段】  ジョウゴの口先にネジ溝を付けて、容器のネジ溝を利用して容器と固定する。【選択図】図１
2007008555.tif 000002
【特許請求の範囲】
【請求項１】
ジョウゴの口先にネジ溝を付けた、ネジ溝付きジョウゴ
【発明の詳細な説明】
【技術分野】
【０００１】
本発明は、液体や粉末を容器に注入する際に使用する、ジョウゴに関するものである。
【背景技術】
【０００２】
従来、ジョウゴは容器に差し込んで使用している。しかし、容器を床や地上に置けない時は、片方の手でジョウゴを持ち、もう片方の手で容器を持って、農薬や湧水などを容器に注入してきた。
【発明の開示】
【発明が解決しようとする課題】
【０００３】
上述の場合，従来のジョウゴは両手を別々に使用するため、肢体の不自由な人には使いづらかった。又、名水と言われる場所に、ペットボトル等を持参し、水を持ち帰る多くの人々がいるが、落下する水の勢いや水の重量もあって、ジョウゴと容器と、それぞれを保持するのは大変である。
【課題を解決するための手段】
【０００４】
本発明は、ジョウゴ３の口先４にネジ溝２を付けて、ネジ溝付きジョウゴ１とした。
【発明の効果】
【０００５】
本発明によって、ネジ溝付きジョウゴ１のネジ溝２と、容器５のネジ溝６とが合体する。従って、健常者なら片手でも、肢体の不自由な人でも、容器を安全に保持することが可能となる。
【発明を実施するための最良の形態】
【０００６】
本発明は、図１及び図２のように、従来のジョウゴ３の口先４にネジ溝２を取り付けて、ネジ溝付きジョウゴ１とする。    
【図面の簡単な説明】
【０００７】
【図１】本発明のネジ溝付きジョウゴの中央部縦断面図である。
【図２】従来のジョウゴの中央部縦断面図である。
【図３】本発明の使用例の中央部縦断面図である。
【符号の説明】
【０００８】
１  ネジ溝付きジョウゴ
２  ネジ溝付きジョウゴのネジ溝
３  従来のジョウゴ
４  従来のジョウゴの口先
５  容器
６  容器のネジ溝
【図１】
2007008555.tif 000003
【図２】
2007008555.tif 000004
【図３】
2007008555.tif 000005
(57)【要約】【課題】使用している時に邪魔にならず絡まり合わず、使用していない時に収納しやすい電気コードを作る。【解決手段】かたく、曲がらない電気コードに複数の可動部分をつけることを特徴とする。【選択図】図３
2007008591.tif 000002
【特許請求の範囲】
【請求項１】
かたく、曲がらない電気コードであるが関節の様な可動部分が複数あり、折りたためる構造になっていることを特徴とする電気コード。
【発明の詳細な説明】
【技術分野】
【０００１】  本発明は、電気コードに関する。
【背景技術】
【０００２】  従来、電気コードはどこでも曲がるグニャグニャしたものや、かたくまったく固定されてしまっているものが主だった。
【発明が解決しようとする課題】
【０００３】  このため、コードが絡まり合ってしまったり、特定の部分にしか使えなかったりした。
【０００４】  本発明は、このような点に鑑みて成されたものであり、その目的は、絡まり合わず、使っている時に邪魔にならず、収納しやすい電気コードを作ることにある。
【課題を解決するための手段】
【０００５】  上述の目的を達成する本発明の電気コードは、かたく、曲がらない電気コードに複数の可動部分をつけることを特徴とする。
【発明の効果】
【０００６】  以上説明した様に本発明によれば、かたいコードに複類の可動部分があるので、使用している時に余っている部分のコードを折りたたんでおくことができるので、邪魔にならず、絡まり合わない。そして収納しやすい。
【発明を実施するための最良の形態】
【０００７】  以下、本発明の実施の形態を図面に基づき詳細に説明する。【０００８】  図１〜図３は本発明を折りたたんでいく様子の例を簡略化して図示したものである。この場合は可動部分は、５つである。【０００９】  可動部分に幅をもたせるために、回転する部分をつけても良いと考えられる。図４は図２の１１〜１２の間の例を図示したものである。１３は回転する時の可動部分である。【００１０】  １度その場所におくとあまり動かさない電気製品が商品の対象となり易いと考えられる。例を挙げると、炊飯機、電気スタンド、ゲーム機、コタツ、扇風機、ポット、キーボード、等。【００１１】  また本発明の電気コードの両端は、グニャグニャ曲がる材質にしておいても使い易いと考えられる。その辺りの組み合わせはいろいろあると考えられる。
【図１】
2007008591.tif 000003
【図２】
2007008591.tif 000004
【図３】
2007008591.tif 000005
【図４】
2007008591.tif 000006
【手続補正書】
【提出日】平成17年10月10日(2005.10.10)
【手続補正１】
【補正対象書類名】明細書
【補正対象項目名】００１２
【補正方法】追加
【補正の内容】
【００１２】
【図１】
本発明の可動部分が折れ曲がっていない状態を平面的に図示した１例である。
【図２】
図１の可動部分が少し折れ曲がっている状態を平面的に図示した１例である。
【図３】
図１の可動部分が大分、折れ曲がりきっている状態を平面的に図示した１例である。
【符号の説明】
【００１３】
１１、１２  平面的な可動部分の例
１３        回転（立体的）する可動部部の例
【手続補正書】
【提出日】平成18年10月24日(2006.10.24)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】  本発明は、電気コードに関する。
【背景技術】
【０００２】  従来、電気コードはどこでも曲がるグニャグニャしたものや、かたくまったく固定されてしまっているものが主だった。
【発明が解決しようとする課題】
【０００３】  このためコードが絡まり合ったり、特定の部分にしか使えなかったりした。
【０００４】  本発明は、このような点に鑑みて成されたものであり、その目的は絡まり合わず使っている時に邪魔にならず収納しやすい電気コードを作ることにある。
【課題を解決するための手段】
【０００５】  上述の目的を達成する本発明の電気コードは、かたく、曲がらない電気コードに複数の可動部分をつけることを特徴とする。
【発明の効果】
【０００６】  以上説明した様に本発明によれば、かたいコードに複数の可動部分があるので、使用している時に余っている部分を折りたたんでおくことができるので、邪魔にならず、絡まり合わない。そして収納しやすい。
【発明を実施するための最良の形態】
【０００７】  以下、本発明の実施の形態を図面に基づき詳細に説明する。【０００８】  図１〜図３は本発明を折りたたんでいく様子の例を簡略化して図示したものである。この場合は可動部分は、５つである。【０００９】  可動部分に幅をもたせるために、回転する部分をつけても良いと考えられる。図４は図１の１１〜１２の間の例を図示したものである。１３は回転する時の可動部分である。【００１０】  １度その場所に置くとあまり動かさない電気製品が商品の対象になり易いと考えられる例を挙げると、炊飯機、電気スタンド、ゲーム機、コタツ、扇風機、ポット、キーボード等。【００１１】  また本発明の電気コードの両端は、グニャグニャ曲がる材質にしておいても使い易いと考えられる。その辺りの組み合わせはいろいろあると考えられる。
【図面の簡単な説明】
【００１２】
【図１】  本発明の可動部分が折れ曲がっていない状態を平面的に図示した１例である。
【図２】  図１の可動部分が少し折れ曲がっている状態を平面的に図示した１例である。
【図３】  図１の可動部分が大分、折れ曲がりきっている状態を平面的に図示した１例である。
【図４】  図１の１１〜１２の間の例を図示したものである。
【符号の説明】
【００１３】  １１、１２  平面的な可動部分の例
１３        回転（立体的）する可動部分の例
(57)【要約】      （修正有）【課題】お茶筒の中蓋に定量の茶葉を容易に取り出す事が出来る道具を提供する。【解決手段】お茶筒の蓋を高くし中蓋を従来より深くして中央に茶葉が入るカツブを設け、カツブの両側の支えの板は傾斜を設けて、茶葉を滑り易くし、カツブの中にはいつた定量以外の余分な茶葉を元の茶筒にもどして速やかに定量の茶葉だけを取り出す事を特徴とした道具。【選択図】図１
2007008577.tif 000002
【特許請求の範囲】
【請求項１】
お茶筒の中蓋を従来より深くしてその中にカツブを設け、カツブの両側の支えの板は滑り台の様に傾斜にして、カツブにはいつた定量以外の茶葉は傾斜した板を滑つてもとの茶筒に戻し定量の茶葉だけを取り出す事を特徴とした道具である。
【発明の詳細な説明】
【技術分野】
【０００１】本発明はお茶の葉を茶匙を使わずに定量の茶葉を中蓋で量る事が出来る茶筒。
【背景の技術】
【０００２】従来、茶サジか缶の蓋で適量を量つてキウスに茶葉を入れていた。
【発明の開示】
【発明が解決しようとする課題】
【０００３】そのために、次のような問題点があつた。
（イ）茶サジや茶筒の蓋で茶を取り出しても量はまちまちで一定でなかつた。
（ロ）茶葉の量が少なくなると茶サジでは取出し難い事がけつてんであつた。
本発明は、これらの問題点を解決する為に成された物である。
【課題を解決するための手段】
【０００４】茶筒の蓋を従来より高くして容量を大きくして、中蓋は深くし、中央より外側にむかつて長方形で中央は深く外側は筒の高さと等しくして、一定の茶葉の量が入るカツブを設け、茶筒を逆さまにして起こす事によつて一定の容量が取り出す事が出来る茶筒である。
【発明の効果】
【０００５】（イ）キウスに入れる茶葉が茶サジでは一回で定量が量れず何回かやりなをしたが、本発明は一回で定量を取り出す事が出来た。
（ロ）茶葉が茶筒の底に少なくなつても、本発明は少なくなつた茶葉を簡単に取り出す事が容易に出来た。
【発明を実施するための最良の形態】
【０００６】以下、本発明の実施の形態について説明する。
（イ）茶筒の蓋（１）は上部に空洞が出来るやうに高くして、従来より容積を大きく設けてある。
（ロ）中蓋（３）は茶葉収納する為に従来の中蓋より深くし面積を大きく設けてある。
（ハ）中蓋（３）のなかの（４）はお茶を一回使用できる量４グラムが収納出来る容積の長方形のカツブ（４）を中央部に設け、中央部分は深く、外側筒の部分は浅くした三角形で中央部３５度外側０度のカツブである。
（ニ）長方形のカツブを支える板（５）の形態は（４）と同じく中央が３５度外側は０度で茶筒の外側と接続している。
（ホ）穴（４）はカツブを支える板（５）の先端部分が切れておりカツブにはいつた茶葉以外の、のこつた余分な茶葉を茶筒に戻す為に設けた穴である。
本、発明は以上の様な構成で、これを使用する時は、茶筒全体を逆さまにして元に起こして蓋を開けると茶葉が長方形のカツブ（４）に定量の茶葉が収納されのこつた余分な茶葉は（５）の板を滑つて穴（６）より元の茶筒の中に収まり毎回定量の茶葉が取り出せる（４）に取り出された茶葉をキウスに入れるには茶筒を（図４のイ）の方向に傾けてキウスに入れる茶筒の中の茶葉は中蓋にさいぎられて出ず（４）のカツブの茶葉だけが取り出せる事を特徴とした道具である。
【図面の簡単な説明】
【０００７】
【図１】本発明の使用状態を示す斜視図
【図２】本発明の一部を切り欠いた側面図
【図３】本発明の中蓋を上から見た上面図
【図４】本発明の図による使用順序（１）茶筒を逆さまにして茶葉を（１）の蓋の中に入れる。（２）茶筒を起こして茶葉をカツブに入れる、カツブ以外は茶筒に戻る。（３）茶筒の蓋（１）を取外して斜めにして茶葉をキウスに入れる。
【符号の説明】
（１）  蓋
（２）  茶筒
（３）  中蓋
（４）  カツブ
（５）  滑り台
（６）  穴
【図１】
2007008577.tif 000003
【図２】
2007008577.tif 000004
【図４】
2007008577.tif 000005
【手続補正書】
【提出日】平成17年9月30日(2005.9.30)
【手続補正１】
【補正対象書類名】図面
【補正対象項目名】全図
【補正方法】変更
【補正の内容】
【図１】
2007008577.tif 000006
【図２】
2007008577.tif 000007
【図３】
2007008577.tif 000008
【図４】
2007008577.tif 000009
(57)【要約】【課題】食品包装ラップまたはアルミホイルを随時に引き出して、ラップまたはアルミホイル等を切る食品包装ラップ、アルミホイル等のホルダーを提供する。【解決手段】  背板の下端に底板を水平状に設け、底板の前面端縁に切り刃を設け、背板に対向するように設けた前板は内側を外方向に湾曲させて、上方は開口部とし、内側を食品包装ラップを収容する収容部とする食品包装ラップ、アルミホイル等のホルダー。【選択図】  図１
2007008578.tif 000002
【特許請求の範囲】
【請求項１】
背板の下端に底板を水平状に設け、底板の前面端縁に切り刃を設け、背板に対向するように設けた前板は内側を外方向に湾曲させて、上方は開口部とし、内側を食品包装ラップを収容する収容部とする食品包装ラップ、アルミホイル等のホルダー。
【発明の詳細な説明】
【技術分野】
【０００１】  本発明は、食品包装ラップまたはアルミホイルを収容するホルダーであり、食品包装ラップまたはアルミホイルを随時に引き出してラップまたはアルミホイル等を切る食品包装ラップ、アルミホイル等のホルダーに関するものである。
【背景技術】
【０００２】  従来より、食品包装ラップやアルミホイルのホルダーは、直方体状の容器であり、上部の開口部より食品包装ラップを引き出しながら、適宜の長さに切断して使用している。
主に、食品包装ラップ等のホルダーを片手に持ち、他の片手で食品包装ラップの先端を摘まんで容器から引き出しながら、前板の上縁に設けられた切り刃に食品包装ラップを当てて、食品包装ラップを切断していた。
【発明の開示】
【発明が解決しょうとする課題】
【０００３】    片手で食品包装ラップを持ち、他の片手でラップホルダーを持っているために、切り刃に食品包装ラップを当てて切断するとき、食品包装ラップが切り刃の表面を滑って切断に失敗したり、食品包装ラップを横一直線の真っ直ぐに切れないなどの失敗が多かった。
本発明は以上の問題点を解決しょうとするものである。
【課題を解決するための手段】
【０００４】  背板の下端に底板を水平状に設け、底板の前面端縁に切り刃を設ける。背板に対向するように設けた前板は内側を外方向に湾曲させて、上方は開口部とし、内側を食品包装ラップを収容する収容部とする。以上を特徴とする食品包装ラップ、アルミホイル等のホルダーである。
【発明の効果】
【０００５】  本発明を冷蔵庫や壁に取り付けて、両手で食品包装ラップの先端の両側を持ちながら収容部から引き出して、底板の前面端縁に設けられた切り刃に食品包装ラップを水平に当てがって切断できる。これにより、食品包装ラップは確実に横一直線にきれいに切断できて、ラップ切断の失敗がなくなる。
【発明を実施するための最良の形態】
【０００６】  以下、本発明の実施の形態を説明する。
（イ）背板（１）の下端の前方向に、底板（２）を水平状に設け、底板（２）の前面端縁に切り刃（７）を設ける。
（ロ）背板（１）に対向するように前板（３）を設け、前板（３）は内側を外方向に湾曲させて、背板（１）と前板（３）の上方は開口部（６）とする。
（ハ）、背板（１）と前板（３）の両端に側板（４）を設け、内側を食品包装ラップ（９）を収容する収容部（５）とする。
（ニ）背板（１）の裏面に磁石または面ファスナーの接着部（８ａ）を設け、底板（２）の裏面に磁石または面ファスナーの接着部（８ｂ）を設ける。
本発明は以上の構成になっていて、本発明を使用するときは、本体の収容部（５）に食品包装ラップまたはアルミホイルを収容させて、冷蔵庫のドアや壁、あるいは卓上などに、接着部（８）の磁石や面ファスナーを利用して固定させる。
食品包装ラップなどを引き出すときは、両手で食品包装ラップの先端の両端を持ちながら収容部から食品包装ラップ（９）を引き出して、底板（２）の前面端縁に設けられた切り刃（７）に食品包装ラップ（９）を水平に当てがって、ラップを持ったまま両手を下に下げる。これにより、食品包装ラップ（９）は確実に横一直線に切断できて、ラップの失敗がなくなる。
【図面の簡単な説明】
【０００７】
【図１】本発明の斜視図
【図２】本発明の一部を切り欠いた側面図
【図３】本発明の他の実施例を示す斜視図
【符号の説明】
【０００８】    １  背板
２  底板
３  前板
４  側板
５  収容部
６  開口部
７  切り刃
８ａ  接着部
ｂ  接着部
９  食品包装ラップ
【図１】
2007008578.tif 000003
【図２】
2007008578.tif 000004
【図３】
2007008578.tif 000005
(57)【要約】【課題】一度開けた袋（菓子、料理材料等）を、次回使用する時に開閉する為に今までは輪ゴムや紐を使用していた。しかし、輪ゴムや紐を使用した場合、袋の形状によっては開閉しずらかったり、一度はずすと再度最初からやらなくてはならない不便さがあった。【解決手段】袋に固定するクリップ１に紐状の物２を設置し、その紐状の物２により袋を開閉し紐状の物２の自由端を固定する為、クリップの他端に切り込み３を入れる。【選択図】図１
2007008576.tif 000002
【特許請求の範囲】
【請求項１】
クリップに紐状の物を設置することを特徴とする袋の開口部分を開閉する器具。
【請求項２】
前記の紐状の物を最後にクリップの切れ目に挟むことを特徴とする請求項１記載の袋の開口部分を開閉する器具。
【発明の詳細な説明】
【技術分野】
【０００１】  この発明は、一度開けた袋を開閉する為の器具の形状に関する。
【背景技術】
【０００２】  従来の袋を開閉する器具としては、輪ゴムか紐が一般的であった。
【発明の開示】
【発明が解決しようとする課題】
【０００３】しかしながら、以上の技術によれば、袋の形状によっては、非常に閉めずらかったり、一度はずしてしまうと又最初から閉め直さなければならなかったりと、面倒な部分が多かった。
そこで、この発明は、一端を袋に容易に固定することで袋を開閉しやすくする器具を提供することを課題とする。
【課題を解決するための手段】
【０００４】  以上の課題を解決するために、第一発明は、クリップに紐状の物を設置することを特徴とする袋を開閉する器具である。
また、第二発明は、クリップの紐状の物を設置していない一端に切れ目を入れて、その部分で紐状の物の端部を固定することを特徴とする袋を開閉する器具である。
【発明の効果】
【０００５】  第一発明、または第二発明によれば、最初にクリップを袋に固定してしまえば、開閉時は紐状の物の締め緩めだけで、簡単に袋を開閉することが出来る。
【発明を実施するための最良の形態】
【０００６】  この発明の一実施形態を、図１に示す。
袋に固定するクリップ部１とある程度の長さを持つ紐状の物２から構成される。又、クリップの一端には紐を固定する切れ目３を有する。【０００７】「実施形態の効果」
この実施形態によれば、一度クリップを袋に固定してしまえば、開閉時は紐状の物の開け閉めだけで簡単に袋を開閉出来る。
【図面の簡単な説明】
【０００８】
【０００９】
【図１】この発明の一実施形態を示す斜視図である。
【符号の説明】
【０００１０】  １  クリップ        ２  紐状の物
３  切れ目（紐状の物固定用）
【図１】
2007008576.tif 000003